(57)【要約】【課題】不使用時など空の収納箱を保管しようとするとき、平面視の保管面積が小さいところへも、収納箱を十分に多量に保管させることができるようにする。また、使用可能な状態での形状とは異なる形状にして収納箱を保管していた場合で、この収納箱を使用可能な状態になるよう組み立て作業をする際、この組み立て作業が容易にできるようにする。【解決手段】収納箱１が、平面視で矩形状の底板５と、この底板５の各外縁部側からそれぞれ上方に向って延出し、その下縁部が外縁部に枢支される４枚の側板６とを備える。側板６をその下縁部を中心として鉛直線に対し所定の鋭角分だけ外側方に向って往回動Ａさせたとき、それ以上の往回動Ａを阻止するよう各側板６同士を互いに連結させる可撓性の連結体１４を備える。側板６を往回動Ａさせたとき、底板５と各側板６とで囲まれた内部空間２にその上方からこの収納箱１と同形同大の他の収納箱を嵌入可能にさせる。【選択図】    図１
2004331191.tif 000002
【特許請求の範囲】
【請求項１】
平面視で矩形状の底板と、この底板の各外縁部側からそれぞれ上方に向って延出し、その下縁部が上記外縁部に枢支される４枚の側板とを備え、全体としてほぼ直方体形状をなす収納箱において、
上記側板をその下縁部を中心として鉛直線に対し所定の鋭角分だけ外側方に向って往回動させたとき、それ以上の往回動を阻止するよう各側板同士を互いに連結させる可撓性の連結体を備え、上記側板を往回動させたとき、上記底板と各側板とで囲まれた内部空間にその上方からこの収納箱と同形同大の他の収納箱を嵌入可能にさせた収納箱。
【請求項２】
上記連結体が、隣り合う両側板の互いの対向縁部を互いに連結するようにした請求項１に記載の収納箱。
【請求項３】
上記連結体を膜材製とし、上記隣り合う両側板がそれぞれ往回動したとき、これら両側板の両対向縁部の間に生じる隙間を上記連結体が閉じるようにした請求項２に記載の収納箱。
【請求項４】
平面視で矩形の底部膜と、この底部膜の各外縁部からそれぞれ上方に向って一体的に延出する４枚の側部膜と、隣り合う両側部膜の互いの対向縁部を互いに一体的に連結させる膜材製の上記連結体と、上記底部膜に取り付けられこの底部膜よりも剛性が高くこの底部膜と共に上記底板を成形する底板部材と、上記側部膜に取り付けられこの側部膜よりも剛性が高くこの側部膜と共に上記側板を成形する側板部材とを備えた請求項３に記載の収納箱。
【発明の詳細な説明】
【０００１】
【発明が属する技術分野】
本発明は、収納箱の不使用時、これら収納箱をコンパクトに積み上げて保管できるようにした収納箱に関するものである。
【０００２】
【従来の技術】
【０００３】
【特許文献１】特開２０００−１４２８１２公報
【０００４】
上記収納箱には、従来、上記特許文献１で示されるものがある。この特許文献１によれば、上記収納箱は、平面視で矩形状の底板と、この底板の各外縁部側からそれぞれ上方に向って延出し、その下縁部が上記外縁部に枢支される４枚の側板とを備え、全体としてほぼ直方体形状をなしている。
【０００５】
上記収納箱は、これを上記直方体形状としたときに、その内部に何らかの物を収納させることができて、使用可能な状態とされる。一方、これら収納箱の不使用時には、上記各側板をそれぞれ往回動させて、全体的に平坦形状に展開させる。そして、これら展開した各収納箱を積み上げれば、小さい容積で収納箱を多量に保管することができる。
【０００６】
【発明が解決しようとする課題】
ところで、上記したように、収納箱を保管しようとしてこれらをそれぞれ展開して積み上げる場合、特に、使用可能な状態での高さが大きい収納箱では、その展開時の平面視の面積が大きくなり、このため、小売店の店内や、車両の荷室内など、平面視での保管面積が小さいところでは、上記収納箱を十分に多量には保管し難いという問題点がある。
【０００７】
また、上記収納箱を展開した状態から使用可能な状態になるよう組み立てようとする際、使用可能な状態である収納箱の直方体形状と、上記のように展開させた収納箱の平坦形状とでは、これら両者形状は互いに大きく異なっており、よって、その分、上記組み立て作業が煩雑になりがちである。
【０００８】
本発明は、上記のような事情に注目してなされたもので、不使用時など空の収納箱を保管しようとするとき、平面視の保管面積が小さいところへも、収納箱を十分に多量に保管させることができるようにし、かつ、使用可能な状態での形状とは異なる形状にして収納箱を保管していた場合で、この収納箱を使用可能な状態になるよう組み立て作業をする際、この組み立て作業が容易にできるようにことを課題とする。
【０００９】
また、上記収納箱を構成簡単、かつ、軽量にできるようにすることを課題とする。
【００１０】
【課題を解決するための手段】
上記課題を解決するための本発明の収納箱は、次の如くである。なお、この項において各用語に付記した符号は、本発明の技術的範囲を後述の「発明の実施の形態」の項の内容に限定解釈するものではない。
【００１１】
請求項１の発明は、平面視で矩形状の底板５と、この底板５の各外縁部側からそれぞれ上方に向って延出し、その下縁部が上記外縁部に枢支される４枚の側板６とを備え、全体としてほぼ直方体形状をなす収納箱において、
【００１２】
上記側板６をその下縁部を中心として鉛直線（？１３）に対し所定の鋭角θ分だけ外側方に向って往回動Ａさせたとき、それ以上の往回動Ａを阻止するよう各側板６同士を互いに連結させる可撓性の連結体１４を備え、上記側板６を往回動Ａさせたとき、上記底板５と各側板６とで囲まれた内部空間２にその上方からこの収納箱１と同形同大の他の収納箱２７を嵌入可能にさせたものである。
【００１３】
請求項２の発明は、請求項１の発明に加えて、上記連結体１４が、隣り合う両側板６，６の互いの対向縁部１６，１６を互いに連結するようにしたものである。
【００１４】
請求項３の発明は、請求項２の発明に加えて、上記連結体１４を膜材製とし、上記隣り合う両側板６，６がそれぞれ往回動Ａしたとき、これら両側板６，６の両対向縁部１６，１６の間に生じる隙間１７を上記連結体１４が閉じるようにしたものである。
【００１５】
請求項４の発明は、請求項３の発明に加えて、平面視で矩形の底部膜２１と、この底部膜２１の各外縁部からそれぞれ上方に向って一体的に延出する４枚の側部膜２２と、隣り合う両側部膜２２，２２の互いの対向縁部１６，１６を互いに一体的に連結させる膜材製の上記連結体１４と、上記底部膜２１に取り付けられこの底部膜２１よりも剛性が高くこの底部膜２１と共に上記底板５を成形する底板部材２４と、上記側部膜２２に取り付けられこの側部膜２２よりも剛性が高くこの側部膜２２と共に上記側板６を成形する側板部材２５とを備えたものである。
【００１６】
【発明の実施の形態】
以下、本発明の実施の形態を図面により説明する。
【００１７】
図２において、符号１は収納箱で、この収納箱１は、その内部空間２に食材などの物３を出し入れ可能に収納させ、この物３の保冷や保温を可能とさせる。また、上記収納箱１は、食品メーカーや販売店などによって、宅配など搬送可能とされる。
【００１８】
上記収納箱１は、この収納箱１の平面視で、矩形（長方形）状の底板５と、この底板５の各外縁部側からそれぞれ上方に向って延出し、その下縁部が上記外縁部に枢支される４枚の矩形（長方形）状の側板６と、これら底板５と各側板６とで囲まれた上記内部空間２の上端の開口７を開閉可能に閉じる矩形（長方形）状の蓋板８と、この蓋板８が上下に回動可能となるようその外縁部を上記側板６の上縁部に枢支させる枢支具９と、上記開口７を閉じた蓋板８をその状態のままに保持可能とさせる保持具１０とを備え、この収納箱１は、全体としてほぼ直方体形状をなして、物３の収納として使用可能な状態とされている。
【００１９】
図１，３において、上記収納箱１は、上記蓋板８が開口７を開いた状態で、上記各側板６をその下縁部を中心として鉛直線１３に対し所定の鋭角θ分だけそれぞれ外側方に向って往回動Ａさせたとき、それ以上の往回動Ａを阻止するよう上記各側板６同士を互いに連結させる可撓性の連結体１４を備え、上記各側板６を往回動Ａさせたときの上記鋭角θの値は、各側板６につき互いにほぼ同じとされている。
【００２０】
上記連結体１４は、互いに隣り合う両側板６，６の互いの対向縁部１６，１６を互いに連結させている。また、上記連結体１４は膜材製とされており、上記した互いに隣り合う両側板６，６がそれぞれ往回動Ａしたとき、これら両側板６，６の両対向縁部１６，１６の間に生じる三角形状の隙間１７を上記連結体１４が全体的に閉じることとされ、かつ、この際、上記連結体１４は全体的に平坦に延びその各部に生じる引張応力が互いにほぼ均一になることとされている。
【００２１】
上記収納箱１につき、より詳しく説明すると、この収納箱１は、膜材で一体成形され上方に向って開口する収納箱本体２０を備えている。この収納箱本体２０は、平面視で矩形（長方形）状の底部膜２１と、この底部膜２１の各外縁部からそれぞれ上方に向って一体的に延出する４枚の側部膜２２と、互いに隣り合う両側部膜２２，２２の互いの対向縁部１６，１６を互いに一体的に連結させる膜材製の上記連結体１４とを備えている。上記収納箱本体２０は通気性のある網材、繊維、不織布や、通気性、通水性のない樹脂シートなどであり、上記底部膜２１、側部膜２２、および連結体１４のそれぞれ互いの一体化は、１枚の膜材を連続させたものの他、複数膜材同士の溶着、縫合、接着などによってもよい。
【００２２】
また、上記収納箱１は、上記底部膜２１の内面（上面）に全体的に面接触するよう取り付けられこの底部膜２１よりも剛性が高くこの底部膜２１と共に上記底板５を成形する矩形（長方形）状の底板部材２４と、上記各側部膜２２の内面にそれぞれ全体的に面接触するよう取り付けられこれら各側部膜２２よりも剛性が高くこれら各側部膜２２と共に上記各側板６を成形する矩形（長方形）状の４枚の側板部材２５と、上記各側部膜２２の外面にそれぞれ全体的に面接触するよう取り付けらこれら各側部膜２２よりも剛性が高くこれら各側部膜２２および上記側板部材２５と共に上記各側板６を成形してこれら各側板６を補強する矩形（長方形）状の４枚の他の側板部材２６とを備えている。
【００２３】
上記収納箱１の各側板６をそれぞれ往回動Ａさせたとき、上記収納箱１は、その上下方向における各部の水平方向の面積が上方に向うに従い漸増する展開形状とされる。このように展開形状とされた収納箱１の上記底板５と各側板６とで囲まれた空の内部空間２に対し、その上方から上記収納箱１と同形同大で、同じ展開形状かつ同じ姿勢の他の収納箱２７の底部側が次々と嵌入可能とされている。
【００２４】
図２において、上記収納箱１の展開形状から、上記各側板６を往回動Ａとは反対方向に復回動させて、収納箱１を使用可能な状態にさせたとき、上記各連結体１４は、二枚重ね構造とされて各側板６の外側方に向い突出するよう構成されている（図２中一点鎖線）。また、これら各連結体１４を二枚重ね構造のまま、上記側板６の外面に重ね合わせて結合させる結合具２８が設けられている。
【００２５】
上記各底板５の底板部材２４、側板６の側板部材２５、および蓋板８は、それぞれ発泡ポリスチレン製などの断熱板である。また、上記側板６の他の側板部材２６は樹脂製板などの補強板であり、その外面にはアルミ蒸着が施されている。また、上記枢支具９と保持具１０は、それぞれ一端が上記側板６に対し他端が上記蓋板８に対しそれぞれ面テープ３０により着脱可能に固着されたベルト３１を備えている。この場合、枢支具９と保持具１０とは互いに同じ構成であるため、これらのうち、いずれか一つを枢支具９にしてもよい。また、上記結合具２８は、隣り合う両側板６，６のうち、一方の側板６の対向縁部１６に一端が連結され他端が他方の側板６に面テープ３２により着脱可能に固着されるベルト３３を備えている。
【００２６】
上記収納箱１の内部空間２に対し物３を出し入れするときには、上記保持具１０を操作して、上記側板６に対する蓋板８の保持を解除する。次に、上記枢支具９を中心として上記蓋板８を上方に回動させて開口７を開放させ、この開口７を通し、上記内部空間２に対し物３を出し入れすればよい。また、この場合、上記各側板６のうち、一部の側板６に対する保持具１０による蓋板８の保持を解除させると共に、上記側板６と他の側板６との結合具２８による互いの結合を解除させて、上記側板６だけを往回動Ａさせ、この側板６の往回動Ａに伴い生じた開口７を通し内部空間２に対し物３を出し入れするようにしてもよい。
【００２７】
上記構成によれば、収納箱１は、側板６をその下縁部を中心として鉛直線１３に対し所定の鋭角θ分だけ外側方に向って往回動Ａさせたとき、それ以上の往回動Ａを阻止するよう各側板６同士を互いに連結させる可撓性の連結体１４を備え、上記側板６を往回動Ａさせたとき、上記底板５と各側板６とで囲まれた空の内部空間２にその上方から上記収納箱１と同形同大の他の収納箱２７を嵌入可能にさせてある。
【００２８】
このため、上記収納箱１の不使用時には、図１，３で示すように上記各側板６をそれぞれ外側方に向って往回動Ａさせて展開形状にさせ、上記底板５と各側板６とで囲まれた空の内部空間２にその上方から他の収納箱２７を次々と嵌入させて積み上げることができる。
【００２９】
よって、上記のように不使用時で空の収納箱１を次々と嵌入させて積み上げれば、小さい容積でこれら収納箱１を多量に保管できる。しかも、上記収納箱１の展開形状は、この収納箱１を従来の技術のような平坦形状にまで展開したものではないため、上記収納箱１の展開形状の平面視の面積は小さく抑制できて、小売店の店内など平面視での保管面積が小さいところでも、上記収納箱１を十分に多量に保管させることができる。
【００３０】
また、上記収納箱１の使用可能な状態での形状はほぼ直方体形状であり、一方、収納箱１の上記展開形状は、上記ほぼ直方体形状から平坦形状に展開するまでの間の中間的な形状である。
【００３１】
このため、収納箱１を上記展開形状から使用可能なほぼ直方体形状になるよう組み立て作業をする際、従来の技術のような収納箱１の平坦形状からの組み立て作業に比べ、上記組み立て作業はより容易にでき、これは、特に収納箱１が多量に存在する場合に極めて有益である。
【００３２】
また、前記したように、連結体１４が、隣り合う両側板６，６の互いの対向縁部１６，１６を互いに連結するようにしてある。
【００３３】
このため、上記連結体１４の形状は、例えば、平面視で上記各側板６の長手方向の中途部を連結体１４が互いに連結するようにした場合に比べて、より小さくできる。よって、その分、上記収納箱１を構成簡単、かつ、軽量にできる。
【００３４】
また、前記したように、連結体１４を膜材製とし、上記隣り合う両側板６，６がそれぞれ往回動Ａしたとき、これら両側板６，６の両対向縁部１６，１６の間に生じる隙間１７を上記連結体１４が全体的に閉じるようにしてある。
【００３５】
このため、上記収納箱１の内部空間２は上記各連結体１４により、密閉性が向上させられることから、上記内部空間２に収納された物３が上記隙間１７を通り無意図的に抜け落ちるということが防止される。また、特に、上記各連結体１４を不通気、不通水性にして、収納箱１を保冷や保温に用いるとき、その性能はより確実に高められる。
【００３６】
また、前記したように、収納箱１は、平面視で矩形の底部膜２１と、この底部膜２１の各外縁部からそれぞれ上方に向って一体的に延出する４枚の側部膜２２と、隣り合う両側部膜２２，２２の互いの対向縁部１６，１６を互いに一体的に連結させる膜材製の上記連結体１４と、上記底部膜２１に取り付けられこの底部膜２１よりも剛性が高くこの底部膜２１と共に上記底板５を成形する底板部材２４と、上記側部膜２２に取り付けられこの側部膜２２よりも剛性が高くこの側部膜２２と共に上記側板６を成形する側板部材２５とを備えている。
【００３７】
このため、上記収納箱１は、使用可能な状態の形状と、この形状とは異なる展開形状とのうち、いずれか一方から他方に変形可能なものではあるが、上記底板部材２４と側板部材２５とによって剛性が高められる分、上記内部空間２に収納された物３の保護がより確実に達成され、また、強度上、上記収納箱１を多量に積み上げることもできる。
【００３８】
また、上記収納箱１を変形させようとして上記各側板６を回動可能にさせる枢支手段は、上記底板５、側板６、および連結体１４を構成する膜材の部分で構成される。このため、上記枢支手段を別途に設けないで足りる分、収納箱１を構成簡単、かつ、軽量にできる。
【００３９】
更に、上記底板５、側板６、および連結体１４は互いに一体成形されるため、その内部空間２の密閉性が更に向上させられる。
【００４０】
また、前記したように、底部膜２１と側部膜２２の各内面に底板部材２４と側板部材２５が取り付けられていて、これら底板部材２４と側板部材２５とが断熱板とされている。
【００４１】
このため、上記底板部材２４と側板部材２５とが上記底部膜２１と側部膜２２の各外面に取り付けられることに比べ、上記内部空間２の保冷、保温は上記底板部材２４と側板部材２５とによって、より直接的になされる分、上記保冷、保温の性能が更に確実に高められる。
【００４２】
なお、以上は図示の例によるが、収納箱１の使用可能な状態の形状であるほぼ直方体形状には、立方体形状が含まれるものとする。
【００４３】
また、上記連結体１４は、バンド、チェーン、ロープのような索条体であってもよく、リンクでもよい。また、各側板６を往回動Ａさせたときの鋭角θの値は、各側板６につき互いに相違させてもよい。また、上記側板部材２５と他の側板部材２６とは上記収納箱本体２０の内、外面に対し図例とは逆となるよう取り付けてもよく、側板部材２５と他の側板部材２６を共に断熱板、もしくは補強板としてもよく、いずれか一方だけを設けてもよい。
【００４４】
【発明の効果】
本発明による効果は、次の如くである。
【００４５】
請求項１の発明は、平面視で矩形状の底板と、この底板の各外縁部側からそれぞれ上方に向って延出し、その下縁部が上記外縁部に枢支される４枚の側板とを備え、全体としてほぼ直方体形状をなす収納箱において、
【００４６】
上記側板をその下縁部を中心として鉛直線に対し所定の鋭角分だけ外側方に向って往回動させたとき、それ以上の往回動を阻止するよう各側板同士を互いに連結させる可撓性の連結体を備え、上記側板を往回動させたとき、上記底板と各側板とで囲まれた内部空間にその上方からこの収納箱と同形同大の他の収納箱を嵌入可能にさせてある。
【００４７】
このため、上記収納箱の不使用時には、上記各側板をそれぞれ外側方に向って往回動させて展開形状にさせ、上記底板と各側板とで囲まれた空の内部空間にその上方から他の収納箱を次々と嵌入させて積み上げることができる。
【００４８】
よって、上記のように不使用時で空の収納箱を次々と嵌入させて積み上げれば、小さい容積でこれら収納箱を多量に保管できる。しかも、上記収納箱の展開形状は、この収納箱を従来の技術のような平坦形状にまで展開したものではないため、上記収納箱の展開形状の平面視の面積は小さく抑制できて、小売店の店内など平面視での保管面積が小さいところでも、上記収納箱を十分に多量に保管させることができる。
【００４９】
また、上記収納箱の使用可能な状態での形状はほぼ直方体形状であり、一方、収納箱の上記展開形状は、上記ほぼ直方体形状から平坦形状に展開するまでの間の中間的な形状である。
【００５０】
このため、収納箱を上記展開形状から使用可能なほぼ直方体形状になるよう組み立て作業をする際、従来の技術のような収納箱の平坦形状からの組み立て作業に比べ、上記組み立て作業はより容易にでき、これは、特に収納箱が多量に存在する場合に極めて有益である。
【００５１】
請求項２の発明は、上記連結体が、隣り合う両側板の互いの対向縁部を互いに連結するようにしてある。
【００５２】
このため、上記連結体の形状は、例えば、平面視で上記各側板の長手方向の中途部を連結体が互いに連結するようにした場合に比べて、より小さくできる。よって、その分、上記収納箱を構成簡単、かつ、軽量にできる。
【００５３】
請求項３の発明は、上記連結体を膜材製とし、上記隣り合う両側板がそれぞれ往回動したとき、これら両側板の両対向縁部の間に生じる隙間を上記連結体が閉じるようにしてある。
【００５４】
このため、上記収納箱の内部空間は上記各連結体により密閉性が向上させられることから、上記内部空間に収納された物が上記隙間を通り無意図的に抜け落ちるということが防止される。また、特に、上記各連結体を不通気、不通水性にして、収納箱を保冷や保温に用いるとき、その性能はより確実に高められる。
【００５５】
請求項４の発明は、平面視で矩形の底部膜と、この底部膜の各外縁部からそれぞれ上方に向って一体的に延出する４枚の側部膜と、隣り合う両側部膜の互いの対向縁部を互いに一体的に連結させる膜材製の上記連結体と、上記底部膜に取り付けられこの底部膜よりも剛性が高くこの底部膜と共に上記底板を成形する底板部材と、上記側部膜に取り付けられこの側部膜よりも剛性が高くこの側部膜と共に上記側板を成形する側板部材とを備えている。
【００５６】
このため、上記収納箱は、使用可能な状態の形状と、この形状とは異なる展開形状とのうち、いずれか一方から他方に変形可能なものではあるが、上記底板部材と側板部材とによって剛性が高められる分、上記内部空間に収納された物の保護がより確実に達成され、また、強度上、上記収納箱を多量に積み上げることもできる。
【００５７】
また、上記収納箱を変形させようとして上記各側板を回動可能にさせる枢支手段は、上記底板、側板、および連結体を構成する膜材の部分で構成される。このため、上記枢支手段を別途に設けないで足りる分、収納箱を構成簡単、かつ、軽量にできる。
【００５８】
更に、上記底板、側板、および連結体は互いに一体成形されるため、その内部空間の密閉性が更に向上させられる。
【図面の簡単な説明】
【図１】展開形状にした収納箱の斜視図である。
【図２】使用可能な状態の形状にした収納箱の斜視図である。
【図３】展開形状にした収納箱の側面作用説明図である。
【符号の説明】
１      収納箱
２      内部空間
３      物
５      底板
６      側板
７      開口
８      蓋板
１３    鉛直線
１４    連結体
１６    対向縁部
１７    隙間
２０    収納箱本体
２１    底部膜
２２    側部膜
２４    底板部材
２５    側板部材
２６    他の側板部材
２７    他の収納箱
θ      鋭角
Ａ      往回動
【図１】
2004331191.tif 000003
【図２】
2004331191.tif 000004
【図３】
2004331191.tif 000005